(57)【要約】【課題】シリアルバスへの接続機器において、自機と他の接続機器との間でデータを送受信する際に、他の接続機器から自機の制御部までの経路上のいずれの箇所に障害が発生したかをユーザに知らせる。【解決手段】ＰＨＹチップ１５とＬＩＮＫチップ１４との間でディジタル信号が送受信されているときに点灯するＬＥＤ１と、ＬＩＮＫチップ１４とＣＰＵ１１との間でディジタル信号が送受信されているときに点灯するＬＥＤ２とを設けた。これにより、他の接続機器（ＤＶＤ４０及びディジタルＶＴＲ５０）から自機（ディジタルテレビ１０）のＣＰＵ１１までの経路上のいずれの箇所に障害が発生した可能性が高いかをユーザに知らせることができる。【選択図】      図１
2005004399.tif 000002
【特許請求の範囲】
【請求項１】
シリアルバス上における他の接続機器とバスケーブルを介して接続されており、
自機の装置全体の制御を行う制御部と、
前記バスケーブルを接続するためのポートと、
前記他の接続機器との間でディジタル信号の送受信を行う際に、物理層レベルの通信機能を提供するＰＨＹチップと、
前記ＰＨＹチップと前記制御部との間のインタフェース機能を有し、前記他の接続機器との間でディジタル信号の送受信を行う際に、リンク層レベルの通信機能を提供するＬＩＮＫチップとを備えたシリアルバスへの接続機器において、
前記シリアルバスは、ＩＥＥＥ１３９４シリアルバスであり、
前記ＰＨＹチップと前記ＬＩＮＫチップとの間でディジタル信号が送受信されているときに点灯する第１のＬＥＤ（Ｌｉｇｈｔ  Ｅｍｉｔｔｉｎｇ  Ｄｉｏｄｅ）と、
前記ＰＨＹチップと前記ＬＩＮＫチップとの間に配設されて、前記ＰＨＹチップと前記ＬＩＮＫチップとの間でディジタル信号が送受信されていないときに、前記第１のＬＥＤに電圧を供給せず、前記ＰＨＹチップと前記ＬＩＮＫチップとの間でディジタル信号が送受信されているときに、このディジタル信号を検出して、前記第１のＬＥＤに電圧を供給する信号検出回路と、
前記ＬＩＮＫチップと前記制御部との間でディジタル信号が送受信されているときに点灯する第２のＬＥＤとをさらに備え、
前記制御部は、前記ＬＩＮＫチップとの間でディジタル信号が送受信されていないときに、前記第２のＬＥＤに電圧を供給せず、前記ＬＩＮＫチップとの間でディジタル信号が送受信されているときに、前記第２のＬＥＤに電圧を供給することを特徴とするシリアルバスへの接続機器。
【請求項２】
シリアルバス上における他の接続機器とバスケーブルを介して接続されており、
自機の装置全体の制御を行う制御部と、
前記バスケーブルを接続するためのポートと、
前記他の接続機器との間でディジタル信号の送受信を行う際に、物理層レベルの通信機能を提供するＰＨＹチップと、
前記ＰＨＹチップと前記制御部との間のインタフェース機能を有し、前記他の接続機器との間でディジタル信号の送受信を行う際に、リンク層レベルの通信機能を提供するＬＩＮＫチップとを備えたシリアルバスへの接続機器において、
前記ＰＨＹチップが前記他の接続機器からディジタル信号を受信しているときに点灯する第１の表示手段と、
前記制御部が前記ＬＩＮＫチップからディジタル信号を受信しているときに点灯する第２の表示手段とをさらに備えたことを特徴とするシリアルバスへの接続機器。
【請求項３】
シリアルバス上における他の接続機器とバスケーブルを介して接続されており、
自機の装置全体の制御を行う制御部と、
前記バスケーブルを接続するためのポートと、
前記他の接続機器との間でディジタル信号の送受信を行う際に、物理層レベルの通信機能を提供するＰＨＹチップと、
前記ＰＨＹチップと前記制御部との間のインタフェース機能を有し、前記他の接続機器との間でディジタル信号の送受信を行う際に、リンク層レベルの通信機能を提供するＬＩＮＫチップとを備えたシリアルバスへの接続機器において、
前記他の接続機器から送信されたディジタル信号を受信しているときに点灯する表示手段をさらに備え、
前記他の接続機器から送信されたディジタル信号が前記制御部まで達したときと、前記他の接続機器から送信されたディジタル信号が前記ＰＨＹチップまでは達したが、前記制御部まで達しなかったときとで、前記表示手段による表示パターンを切り換えることを特徴とするシリアルバスへの接続機器。
【請求項４】
前記シリアルバスはＩＥＥＥ１３９４シリアルバスである請求項２又は請求項３に記載のシリアルバスへの接続機器。
【発明の詳細な説明】
【０００１】
【発明の属する技術分野】
本発明は、シリアルバスへの接続機器に係り、特に、通信障害の発生時に障害の発生箇所を判別する技術に関する。
【０００２】
【従来の技術】
従来より、ＩＥＥＥ１３９４シリアルバス等のシリアルバスへの接続機器は、他の接続機器との間でストリームデータ（コンテンツデータ）等のディジタルデータの送受信を行っているときには、表示パネルの点灯等を行って、データの送受信を行っていることを示す。従って、ユーザは、自機が他の接続機器からデータを受信する際に、この表示パネルの点灯等を確認することにより、他の接続機器から自機の制御部に至るまでの経路上のいずれの箇所に通信障害が発生したことを知ることができる。
【０００３】
また、この種の接続機器の分野において、画像ファイルをパソコンに送信する際に、データの転送に使用する帯域幅に応じてＬＥＤ（Ｌｉｇｈｔ  Ｅｍｉｔｔｉｎｇ  Ｄｉｏｄｅ）を点灯又は点滅させるＵＳＢ（Ｕｎｉｖｅｒｓａｌ  Ｓｅｒｉａｌ  Ｂｕｓ）カメラが知られている（例えば、特許文献１参照）。
【０００４】
【特許文献１】
特開２０００−１８４００６号公報（第１−４頁、図１−３）
【０００５】
【発明が解決しようとする課題】
しかしながら、上記のような従来のシリアルバスへの接続機器では、自機が他の接続機器からデータを受信する際に、他の接続機器から自機の制御部に至るまでの経路上のいずれかの箇所に通信障害が発生したことをユーザに知らせることはできるが、他の接続機器から自機の制御部までの経路上のいずれの箇所に障害が発生したかをユーザに知らせることができないという問題があった。
【０００６】
また、上記特許文献１に示される発明では、上記の問題を全く解決することができない。
【０００７】
本発明は、上記の問題を解決するためになされたものであり、自機と他の接続機器との間でデータを送受信する際に、他の接続機器から自機の制御部までの経路上のいずれの箇所に障害が発生したかをユーザに知らせることが可能なシリアルバスへの接続機器を提供することを目的とする。
【０００８】
【課題を解決するための手段】
上記目的を達成するために請求項１の発明は、シリアルバス上における他の接続機器とバスケーブルを介して接続されており、自機の装置全体の制御を行う制御部と、バスケーブルを接続するためのポートと、他の接続機器との間でディジタル信号の送受信を行う際に、物理層レベルの通信機能を提供するＰＨＹチップと、ＰＨＹチップと制御部との間のインタフェース機能を有し、他の接続機器との間でディジタル信号の送受信を行う際に、リンク層レベルの通信機能を提供するＬＩＮＫチップとを備えたシリアルバスへの接続機器において、シリアルバスは、ＩＥＥＥ１３９４シリアルバスであり、ＰＨＹチップとＬＩＮＫチップとの間でディジタル信号が送受信されているときに点灯する第１のＬＥＤ（Ｌｉｇｈｔ  Ｅｍｉｔｔｉｎｇ  Ｄｉｏｄｅ）と、ＰＨＹチップとＬＩＮＫチップとの間に配設されて、ＰＨＹチップとＬＩＮＫチップとの間でディジタル信号が送受信されていないときに、第１のＬＥＤに電圧を供給せず、ＰＨＹチップとＬＩＮＫチップとの間でディジタル信号が送受信されているときに、このディジタル信号を検出して、第１のＬＥＤに電圧を供給する信号検出回路と、ＬＩＮＫチップと制御部との間でディジタル信号が送受信されているときに点灯する第２のＬＥＤとをさらに備え、制御部は、ＬＩＮＫチップとの間でディジタル信号が送受信されていないときに、第２のＬＥＤに電圧を供給せず、ＬＩＮＫチップとの間でディジタル信号が送受信されているときに、第２のＬＥＤに電圧を供給するものである。
【０００９】
上記構成においては、ＰＨＹチップとＬＩＮＫチップとの間でディジタル信号が送受信されているときに点灯する第１のＬＥＤと、ＬＩＮＫチップと制御部との間でディジタル信号が送受信されているときに点灯する第２のＬＥＤとを用いて、自機と他の接続機器との間でデータを送受信する際に、他の接続機器から自機の制御部までの経路上のいずれの箇所に障害が発生したかをユーザに知らせることができる。
【００１０】
具体的には、例えば、あるポートに接続された接続機器からディジタル信号の受信を行う際に、あるポートに接続された接続機器から自機のＬＩＮＫチップに至るまでの経路上に障害が発生したときには、信号検出回路が第１のＬＥＤに電圧を供給しないので、第１のＬＥＤは点灯しない。従って、あるポートに接続された接続機器からディジタル信号の受信を行う際に、第１のＬＥＤが点灯しなかったときには、ユーザは、あるポートに接続された接続機器から自機のＬＩＮＫチップに至る手前までの経路上に障害が発生したことを知ることができる。また、上記のあるポートに接続された接続機器からディジタル信号を受信する際だけではなく、他のポートに接続された接続機器からディジタル信号を受信する際にも、第１のＬＥＤが点灯しなかったときには、ユーザは、これらの接続機器からディジタル信号を受信する際に共通して使用される自機のＰＨＹチップに障害が発生した可能性が大きいことを知ることができる。これに対して、他のポートに接続された接続機器からディジタル信号の受信を行う際には、第１のＬＥＤが点灯したときには、ユーザは、ＰＨＹチップではなく、上記のあるポートか、あるポートに接続された接続機器か、又はこれらの間を接続するバスケーブルに障害が発生した可能性が大きいことを知ることができる。
【００１１】
また、他の接続機器からディジタル信号の受信を行う際に、他の接続機器から自機の制御部に至るまでの経路上のいずれかの箇所に障害が発生したときには、制御部は、第２のＬＥＤに電圧を供給しないので、第２のＬＥＤは点灯しない。従って、他の接続機器からディジタル信号の受信を行う際に、第２のＬＥＤが点灯しなかったときには、ユーザは、他の接続機器から自機の制御部に至るまでの経路上のいずれかの箇所に障害が発生したことを知ることができる。また、上記の第１のＬＥＤは点灯したが、第２のＬＥＤが点灯しなかったときには、ユーザは、第１のＬＥＤが点灯しているので、他の接続機器から自機のＬＩＮＫチップに至る手前までの経路上には障害が発生していないが、それ以降の経路に存在する自機のＬＩＮＫチップ又は制御部に障害が発生した可能性が大きいことを知ることができる。さらにまた、上記の第１のＬＥＤ及び第２のＬＥＤが両方とも点灯したときには、ユーザは、他の接続機器から自機の制御部までの経路上のいずれの箇所にも障害が発生しておらず、自機も、相手方の接続機器も正常に動作していることを知ることができる。
【００１２】
また、請求項２の発明は、シリアルバス上における他の接続機器とバスケーブルを介して接続されており、自機の装置全体の制御を行う制御部と、バスケーブルを接続するためのポートと、他の接続機器との間でディジタル信号の送受信を行う際に、物理層レベルの通信機能を提供するＰＨＹチップと、ＰＨＹチップと制御部との間のインタフェース機能を有し、他の接続機器との間でディジタル信号の送受信を行う際に、リンク層レベルの通信機能を提供するＬＩＮＫチップとを備えたシリアルバスへの接続機器において、ＰＨＹチップが他の接続機器からディジタル信号を受信しているときに点灯する第１の表示手段と、制御部がＬＩＮＫチップからディジタル信号を受信しているときに点灯する第２の表示手段とをさらに備えたものである。
【００１３】
この構成においては、あるポートに接続された接続機器からディジタル信号の受信を行う際に、自機のＰＨＹチップがあるポートに接続された接続機器からディジタル信号を受信していないときには、第１の表示手段が点灯しない。従って、あるポートに接続された接続機器からディジタル信号の受信を行う際に、第１の表示手段が点灯しなかったときには、ユーザは、あるポートに接続された接続機器から自機のＰＨＹチップに至る手前までの経路、又はＰＨＹチップ自体に障害が発生したことを知ることができる。また、上記のあるポートに接続された接続機器からディジタル信号を受信する際だけではなく、他のポートに接続された接続機器からディジタル信号を受信する際にも、第１の表示手段が点灯しなかったときには、ユーザは、これらの接続機器からディジタル信号を受信する際に共通して使用される自機のＰＨＹチップに障害が発生した可能性が大きいことを知ることができる。これに対して、他のポートに接続された接続機器からディジタル信号の受信を行う際に、第１の表示手段が点灯したときには、ユーザは、ＰＨＹチップではなく、上記のあるポートか、あるポートに接続された接続機器か、又はこれらの間を接続するバスケーブルに障害が発生した可能性が大きいことを知ることができる。
【００１４】
また、他の接続機器からディジタル信号の受信を行う際に、自機の制御部がＬＩＮＫチップからディジタル信号を受信していないときには、第２の表示手段が点灯しない。従って、他の接続機器からディジタル信号の受信を行う際に、第２の表示手段が点灯しなかったときには、ユーザは、他の接続機器から自機の制御部に至るまでの経路上のいずれかの箇所に障害が発生したことを知ることができる。また、上記の第１の表示手段は点灯したが、第２の表示手段が点灯しなかったときには、ユーザは、第１の表示手段が点灯しているので、他の接続機器から自機のＰＨＹチップに至る手前までの経路、及びＰＨＹチップ自体には障害が発生していないが、それ以降の経路に存在する自機のＬＩＮＫチップ又は制御部に障害が発生した可能性が大きいことを知ることができる。さらにまた、上記の第１の表示手段及び第２の表示手段が両方とも点灯したときには、ユーザは、他の接続機器から自機の制御部に至るまでの経路上のいずれの箇所にも障害が発生しておらず、自機も、相手方の接続機器も正常に動作していることを知ることができる。
【００１５】
また、請求項３の発明は、シリアルバス上における他の接続機器とバスケーブルを介して接続されており、自機の装置全体の制御を行う制御部と、バスケーブルを接続するためのポートと、他の接続機器との間でディジタル信号の送受信を行う際に、物理層レベルの通信機能を提供するＰＨＹチップと、ＰＨＹチップと制御部との間のインタフェース機能を有し、他の接続機器との間でディジタル信号の送受信を行う際に、リンク層レベルの通信機能を提供するＬＩＮＫチップとを備えたシリアルバスへの接続機器において、他の接続機器から送信されたディジタル信号を受信しているときに点灯する表示手段をさらに備え、他の接続機器から送信されたディジタル信号が制御部まで達したときと、他の接続機器から送信されたディジタル信号がＰＨＹチップまでは達したが、制御部まで達しなかったときとで、表示手段による表示パターンを切り換えるものである。
【００１６】
この構成においては、制御部がＬＩＮＫチップからディジタル信号を受信しているか否かの情報と、ＰＨＹチップが他の接続機器からディジタル信号を受信しているか否かの情報を、共通の表示手段でユーザに知らせることができ、しかも、上記請求項２に記載の作用を的確に得ることができる。
【００１７】
また、請求項４の発明は、請求項２又は請求項３の発明において、シリアルバスをＩＥＥＥ１３９４シリアルバスとしたものである。この構成においては、ＩＥＥＥ１３９４シリアルバスへの接続機器において、上記請求項２又は請求項３と同様な作用を得ることができる。
【００１８】
【発明の実施の形態】
以下、本発明を具体化した実施形態について図面を参照して説明する。本実施形態によるシリアルバスへの接続機器は、ＩＥＥＥ１３９４シリアルバス（以下、バスと略す）に接続可能なディジタルテレビである。図１は、このディジタルテレビの電気的ブロック構成を示す。このディジタルテレビ１０は、ＩＥＥＥ１３９４シリアルバスケーブル（以下、バスケーブルと略す）３ａ，３ｂを介して、ＤＶＤ（Ｄｉｇｉｔａｌ  Ｖｅｒｓａｔｉｌｅ  Ｄｉｓｃ）４０，ディジタルＶＴＲ（Ｖｉｄｅｏ  Ｔａｐｅ  Ｒｅｃｏｒｄｅｒ）５０と接続されており、装置全体の制御を行うＣＰＵ１１（制御部）と、各種のデータを記憶するメモリ１２とを有している。ＣＰＵ１１は、ＩＥＥＥ１３９４のプロトコル上におけるアプリケーション層の機能の提供も行う。また、メモリ１２は、自機及び他の接続機器の接続情報等を格納したレジスタ空間１３を内包している。また、ディジタルテレビ１０は、ＬＩＮＫチップ１４と、ＰＨＹチップ１５と、バスケーブル３ａ，３ｂを接続するためのポートＡ、ポートＢを有している。ＬＩＮＫチップ１４は、ＰＨＹチップ１５とＣＰＵ１１との間のインタフェース機能を有し、他の接続機器との間でディジタル信号の送受信を行う際に、ＩＥＥＥ１３９４のプロトコル上におけるリンク層レベルの通信機能を提供する。また、ＰＨＹチップ１５は、他の接続機器との間でディジタル信号の送受信を行う際に、ＩＥＥＥ１３９４のプロトコル上における物理層レベルの通信機能を提供する。
【００１９】
また、ディジタルテレビ１０は、ＰＨＹチップ１５とＬＩＮＫチップ１４との間に配設された信号検出回路１６と、ＰＨＹチップ１５とＬＩＮＫチップ１４との間でディジタル信号が送受信されているときに点灯するＬＥＤ（Ｌｉｇｈｔ  Ｅｍｉｔｔｉｎｇ  Ｄｉｏｄｅ）１（第１のＬＥＤ）とを有している。信号検出回路１６は、ＰＨＹチップ１５とＬＩＮＫチップ１４との間でディジタル信号が送受信されていないときに、ＬＥＤ１に電圧を供給せず、ＰＨＹチップ１５とＬＩＮＫチップ１４との間でディジタル信号が送受信されているときに、このディジタル信号を検出して、ライン３０を介してＬＥＤ１に電圧を供給する。
【００２０】
さらにまた、ディジタルテレビ１０は、ＬＩＮＫチップ１４とＣＰＵ１１との間でディジタル信号が送受信されているときに点灯するＬＥＤ２（第２のＬＥＤ）を有している。ＣＰＵ１１は、ＬＩＮＫチップ１４との間でディジタル信号が送受信されていないときには、ＬＥＤ２に電圧を供給せず、ＬＩＮＫチップ１４との間でディジタル信号が送受信されているときには、ライン３１を介してＬＥＤ２に電圧を供給する。
【００２１】
また、ディジタルテレビ１０は、電源２４を備えており、この電源２４によって、上記のＣＰＵ１１、ＬＩＮＫチップ１４、ＰＨＹチップ１５、信号検出回路１６、及び装置内の他の各回路への電源供給を行う。なお、電源２４により供給される電力が不足する場合には、ライン３３，３４、ポートＡ，ポートＢ、及びバスケーブル３ａ，３ｂを介して、バス上における他の接続機器であるＤＶＤ４０又はディジタルＶＴＲ５０から電力が供給される。
【００２２】
さらにまた、ディジタルテレビ１０は、チューナー部１８と、デマルチプレクサ１９と、音声デコーダ２０と、ビデオデコーダ２１と、音声出力部２２と、表示部２３とを有している。チューナー部１８は、アンテナ１７で受信したディジタルデータの復調や誤り訂正等を行って、トランスポートストリーム（ＴＳ）データを出力する。デマルチプレクサ１９は、ＴＳデータから所望の映像データと音声データとを取り出して、取り出した音声データを音声デコーダ２０へ出力し、取り出した映像データをビデオデコーダ２１へ出力する。音声デコーダ２０は、デマルチプレクサ１９から受け取った音声データ、又はバスケーブル３ａ，３ｂを介して他の接続機器であるＤＶＤ４０やディジタルＶＴＲ５０から受信した音声データを復号して、音声出力部２２に出力する。ビデオデコーダ２１は、デマルチプレクサ１９から受け取った映像データ、又はバスケーブル３ａ，３ｂを介して他の接続機器であるＤＶＤ４０やディジタルＶＴＲ５０から受信した映像データを復号して、表示部２３に出力する。
【００２３】
次に、図２のフローチャートを参照して、上記のＬＥＤ１とＬＥＤ２とを用いて通信関係の障害の発生箇所を知る方法について説明する。まず、ユーザは、ポートＡに接続されたＤＶＤ４０からのストリームデータの受信時に（Ｓ１）、ＬＥＤ１が点灯しているか否かを確認する（Ｓ２）。これにより、ユーザは、ＤＶＤ４０からＬＩＮＫチップ１４に至る手前までの経路上のいずれかの箇所（図１中のＤＶＤ４０、バスケーブル３ａ、ポートＡ、ライン２５、ＰＨＹチップ１５及びライン２７のいずれか）に障害が発生したか否かを知ることができる。そして、ＬＥＤ１が点灯しなかったときには（Ｓ２でＮＯ）、ユーザは、ポートＢに接続されたディジタルＶＴＲ５０からのストリームデータの受信時にも（Ｓ３）、ＬＥＤ１が点灯しないことを確認する（Ｓ４）。この結果、ディジタルＶＴＲ５０からのストリームデータの受信時にも、ＬＥＤ１が点灯しなかったときには（Ｓ４でＮＯ）、ユーザは、ＤＶＤ４０及びディジタルＶＴＲ５０からストリームデータを受信する際に共通して使用されるＰＨＹチップ１５に障害が発生した可能性が大きいことを知ることができる（Ｓ５）。これに対して、ディジタルＶＴＲ５０からのストリームデータの受信時には、ＬＥＤ１が点灯したときには（Ｓ４でＹＥＳ）、ユーザは、ＰＨＹチップ１５自体ではなく、ＤＶＤ４０からＰＨＹチップ１５に至る手前までの経路上に障害が発生し（Ｓ６）、特にＤＶＤ４０かバスケーブル３ａに障害の可能性が大きいことを知ることができる（Ｓ７）。
【００２４】
また、上記Ｓ１に示されるＤＶＤ４０からのストリームデータの受信時に（Ｓ１）、ＬＥＤ１が点灯しているときにも（Ｓ２でＹＥＳ）、ユーザは、ポートＢに接続されたディジタルＶＴＲ５０からのストリームデータの受信時に（Ｓ８）、ＬＥＤ１が点灯するか否かを確認する（Ｓ９）。そして、ディジタルＶＴＲ５０からのストリームデータの受信時には、ＬＥＤ１が点灯しなかったときには（Ｓ９でＮＯ）、ユーザは、ＰＨＹチップ１５自体ではなく、ディジタルＶＴＲ５０からＰＨＹチップ１５に至る手前までの経路上に障害が発生し（Ｓ１０）、特にディジタルＶＴＲ５０かバスケーブル３ｂに障害発生の可能性が大きいことを知ることができる（Ｓ１１）。
【００２５】
上記Ｓ９の判定処理でＬＥＤ１が点灯していたときには（Ｓ９でＹＥＳ）、ユーザは、上記Ｓ１及び上記Ｓ８に示されるストリームデータの受信時に、ＬＥＤ２が点灯していたか否かを確認する（Ｓ１２）。そして、ＬＥＤ２が点灯していなかったときには（Ｓ１２でＮＯ）、ユーザは、ＬＥＤ１が点灯しているので、ＤＶＤ４０又はディジタルＶＴＲ５０から信号検出回路１６までの経路上には障害が発生していないが、それ以降の経路に存在するＬＩＮＫチップ１４又はＣＰＵ１１に障害が発生した可能性が大きいことを知ることができる（Ｓ１３）。
【００２６】
上記Ｓ１２の判定処理でＬＥＤ２が点灯していたときには（Ｓ１２でＹＥＳ）、ユーザは、ＤＶＤ４０及びディジタルＶＴＲ５０からＣＰＵ１１までの経路上のいずれの箇所にも障害が発生しておらず（Ｓ１４）、自機（ディジタルテレビ１０）も、相手方の接続機器（ＤＶＤ４０及びディジタルＶＴＲ５０）も正常に動作していることを知ることができる。
【００２７】
上述したように、本実施形態によるディジタルテレビ１０では、ＰＨＹチップ１５とＬＩＮＫチップ１４との間でストリームデータが送受信されているときにだけ、ＬＥＤ１が点灯し、ＰＨＹチップ１５とＬＩＮＫチップ１４との間でストリームデータが送受信されていないときには、ＬＥＤ１が点灯しないようにした。また、ＬＩＮＫチップ１４とＣＰＵ１１との間でストリームデータが送受信されているときにだけ、ＬＥＤ２が点灯し、ＬＩＮＫチップ１４とＣＰＵ１１との間でストリームデータが送受信されていないときには、ＬＥＤ２が点灯しないようにした。これにより、他の接続機器（ＤＶＤ４０及びディジタルＶＴＲ５０）から自機（ディジタルテレビ１０）のＣＰＵ１１までの経路上のいずれの箇所に障害が発生した可能性が高いかをユーザに知らせることができる。
【００２８】
なお、本発明は、上記実施形態に限られるものではなく、様々な変形が可能である。例えば、本実施形態では、他の接続機器から自機のＣＰＵ１１までの経路上のいずれの箇所に障害が発生した可能性が高いかをユーザに知らせるために、ＬＥＤ１とＬＥＤ２の２つの表示手段を用いたが、これらの表示手段を１つにまとめて、他の接続機器から送信されたストリームデータがＣＰＵ１１まで達した場合と、ＰＨＹチップ１５までは達したが、ＣＰＵ１１まで達しなかった場合とで、上記の表示手段による表示パターンを切り換えてもよい。また、上記の実施形態では、表示手段にＬＥＤを用いたが、他の発光素子を用いてもよい。さらにまた、上記実施形態では、シリアルバスへの接続機器がＩＥＥＥ１３９４シリアルバスに接続可能なディジタルテレビ１０である場合の例を示したが、本発明が適用可能な接続機器は、これに限らず、例えば、ＵＳＢ（Ｕｎｉｖｅｒｓａｌ  Ｓｅｒｉａｌ  Ｂｕｓ）等のＩＥＥＥ１３９４シリアルバス以外のシリアルバスへの接続機器であってもよい。
【００２９】
【発明の効果】
以上説明したように請求項１の発明によれば、ＰＨＹチップとＬＩＮＫチップとの間でディジタル信号が送受信されているときにだけ、第１のＬＥＤが点灯し、ＰＨＹチップとＬＩＮＫチップとの間でディジタル信号が送受信されていないときには、第１のＬＥＤが点灯しないようにした。また、ＬＩＮＫチップと制御部との間でディジタル信号が送受信されているときにだけ、第２のＬＥＤが点灯し、ＬＩＮＫチップと制御部との間でディジタル信号が送受信されていないときには、第２のＬＥＤが点灯しないようにした。これにより、他の接続機器から自機の制御部までの経路上のいずれの箇所に障害が発生した可能性が高いかをユーザに知らせることができる。
【００３０】
具体的には、あるポートに接続された接続機器からディジタル信号の受信を行う際に、第１のＬＥＤが点灯しなかったときには、ユーザは、あるポートに接続された接続機器から自機のＬＩＮＫチップに至る手前までの経路上に障害が発生したことを知ることができる。また、上記のあるポートに接続された接続機器からだけではなく、他のポートに接続された接続機器からディジタル信号を受信する際にも、第１のＬＥＤが点灯しなかったときには、ユーザは、自機のＰＨＹチップに障害が発生した可能性が大きいことを知ることができる。これに対して、他のポートに接続された接続機器からディジタル信号の受信を行う際には、第１のＬＥＤが点灯したときには、ユーザは、ＰＨＹチップではなく、上記のあるポートか、あるポートに接続された接続機器か、又はこれらの間を接続するバスケーブルに障害が発生した可能性が大きいことを知ることができる。
【００３１】
また、他の接続機器からディジタル信号の受信を行う際に、第２のＬＥＤが点灯しなかったときには、ユーザは、他の接続機器から自機の制御部に至るまでの経路上のいずれかの箇所に障害が発生したことを知ることができる。また、上記の第１のＬＥＤは点灯したが、第２のＬＥＤが点灯しなかったときには、ユーザは、第１のＬＥＤが点灯しているので、他の接続機器から自機のＬＩＮＫチップに至る手前までの経路上には障害が発生していないが、それ以降の経路に存在する自機のＬＩＮＫチップ又は制御部に障害が発生した可能性が大きいことを知ることができる。さらにまた、上記の第１のＬＥＤ及び第２のＬＥＤが両方とも点灯したときには、ユーザは、他の接続機器から自機の制御部に至るまでの経路上のいずれの箇所にも障害が発生しておらず、自機も、相手方の接続機器も正常に動作していることを知ることができる。
【００３２】
また、請求項２の発明によれば、ＰＨＹチップが他の接続機器からディジタル信号を受信しているときに点灯する第１の表示手段と、制御部がＬＩＮＫチップからディジタル信号を受信しているときに点灯する第２の表示手段とを設けたことにより、上記請求項１に記載の発明と同様な効果を得ることができる。
【００３３】
また、請求項３の発明によれば、他の接続機器から送信されたディジタル信号を受信しているときに点灯する表示手段を設けて、他の接続機器から送信されたディジタル信号が制御部まで達したときと、他の接続機器から送信されたディジタル信号がＰＨＹチップまでは達したが、制御部まで達しなかったときとで、上記の表示手段による表示パターンを切り換えるようにした。これにより、上記に記載の効果に加えて、制御部がＬＩＮＫチップからディジタル信号を受信しているか否かの情報と、ＰＨＹチップが他の接続機器からディジタル信号を受信しているか否かの情報を、共通の表示手段でユーザに知らせることができるので、部品点数を削減することができる。
【００３４】
また、請求項４の発明によれば、シリアルバスをＩＥＥＥ１３９４シリアルバスとしたことにより、ＩＥＥＥ１３９４シリアルバスへの接続機器において、上記請求項２又は請求項３に記載の効果を的確に得ることができる。
【図面の簡単な説明】
【図１】本発明の一実施形態に係るディジタルテレビ（シリアルバスへの接続機器）の電気的ブロック構成を示す図。
【図２】上記ディジタルテレビにおける通信関係の障害の発生箇所を知らせる方法の説明図。
【符号の説明】
１      ＬＥＤ
２      ＬＥＤ
３ａ，３ｂ  バスケーブル
１０    ディジタルテレビ（シリアルバスへの接続機器）
１１    ＣＰＵ（制御部）
１４    ＬＩＮＫチップ
１５    ＰＨＹチップ
１６    信号検出回路
４０    ＤＶＤ（他の接続機器）
５０    ディジタルＶＴＲ（他の接続機器）
Ａ，Ｂ  ポート
【図１】
2005004399.tif 000003
【図２】
2005004399.tif 000004